(57)【要約】【課題】  複写禁止原稿の画像を正常出力禁止を簡単な構成で実行することができるとともに、これにより装置の低価格化を実現することができ、かつ画像出力を効率的に行うことができる画像処理装置およびプログラムを提供する。【解決手段】  暗号化読取モードでは、ステップＳ１０３で原稿の画像データを暗号化し、ステップＳ１０４で原稿が複写禁止原稿であると判定された場合、ステップＳ１０５，Ｓ１０６で画像出力部は、暗号化された画像データを第２復号化部で復号化せずに、意味のなさない画像をプリントする。一方、通常読取モードでは、ステップＳ１０８で原稿の画像データを暗号化せず、ステップＳ１０９で原稿が複写禁止原稿であると判定された場合、ステップＳ１１０，Ｓ１１１で画像出力部は、暗号化されていない画像データを第２復号化部で復号化し、意味のなさない画像をプリントする。【選択図】  図２
2008118422.tif 000002
【特許請求の範囲】
【請求項１】
原稿の画像を読み取り前記原稿の画像データを生成する画像読取手段と、
前記画像読取手段により生成された前記画像データを暗号化する暗号化手段と、
前記画像データが複写禁止原稿の画像データであるか否かを判定する複写禁止原稿検知手段と、
前記暗号化手段により前記暗号化された画像データを復号化して前記画像データを出力する復号化手段と、
前記復号化手段から入力された前記画像データを出力する画像出力手段と、
前記暗号化手段による暗号化の実行状態／不実行状態を切り替える暗号化手段用切替手段と、
前記復号化手段による復号化の実行状態／不実行状態を切り替える復号化手段用切替手段とを備え、
前記暗号化手段が前記暗号化手段用切替手段により前記暗号化の実行状態に設定されている状態では、前記複写禁止原稿検知手段によって前記画像データが前記複写禁止原稿の画像データであると判定された場合、前記復号化手段は前記復号化手段用切替手段により前記復号化の不実行状態に設定され、
前記暗号化手段が前記暗号化手段用切替手段により前記暗号化の不実行状態に設定されている状態では、前記複写禁止原稿検知手段によって前記画像データが前記複写禁止原稿の画像データであると判定された場合、前記復号化手段は前記復号化手段用切替手段により前記復号化の実行状態に設定されることを特徴とする画像処理装置。
【請求項２】
前記暗号化手段により前記暗号化された画像データを復号化し前記画像データを出力する他の復号化手段と、
前記他の復号化手段による復号化の実行状態／不実行状態を切り替える他の復号化手段用切替手段と、
前記暗号化手段により前記暗号化された画像データを保持する記憶手段と、
前記原稿の画像を表示する表示手段と、
前記暗号化手段から入力された画像データを前記他の復号化手段を通じて前記複写禁止原稿検知手段へ出力する前記複写禁止原稿検知手段用モードと、前記記憶手段から入力された画像データを前記他の復号化手段を通じて前記表示手段に出力する記憶手段用モードとを切り替える入出力先切替手段とを備え、
前記他の復号化手段用切替手段によって前記他の復号化手段による復号化の実行状態に設定されている場合、前記入出力先切替手段により設定された前記複写禁止原稿検知手段用モード時には、前記他の復号化手段は、前記暗号化手段により前記暗号化された画像データを復号化して、前記複写禁止原稿検知手段に前記画像データを出力し、前記入出力先切替手段により設定された前記記憶手段用モード時には、前記他の復号化手段は前記記憶手段の前記暗号化された画像データを復号化して、前記表示手段に前記画像データを出力することを特徴とする請求項１に記載の画像処理装置。
【請求項３】
暗号化読取モードと通常読取モードとを有する画像処理装置に適用され、
原稿の画像を読み取り前記原稿の画像データを生成し、前記暗号化読取モード時には前記画像データを暗号化し、前記通常読取モード時には前記画像データを暗号化せず、
前記原稿が前記複写禁止原稿であるか否かを判定し、
前記原稿が前記複写禁止原稿であると判定された場合、前記暗号化読取モード時には、前記暗号化された画像データを復号化せずに画像出力を実行し、前記通常読取モード時には、前記暗号化されていない画像データを復号化して画像出力を実行することを特徴とするプログラム。
【発明の詳細な説明】
【技術分野】
【０００１】
本発明は、画像読取手段により読み取られた原稿の画像データを暗号化手段で暗号化する暗号化読取モードを有する画像処理装置およびそれに適用されるプログラムに係り、特に、原稿が複写禁止原稿である場合に、原稿の画像の正常出力を禁止する技術の改良に関する。
【背景技術】
【０００２】
デジタルカラー複写機などの画像処理装置では、原稿の画像と区別できない程の高精細なカラー複写が実現されていることから、紙幣や有価証券などの偽造を防止するために偽装防止技術が適用されている。偽造防止技術では、スキャナなどの画像読取部により読み取られた原稿が、複写禁止原稿検知部により複写禁止原稿であると判定されたときに、プリントエンジンなどの画像出力部での原稿の画像の正常出力を禁止している。
【０００３】
たとえば特許文献１の技術では、複写禁止原稿を検知した場合、表裏面の画像の位置関係が原稿と異なるように用紙の表裏面に原稿の画像をプリントする機能を有する。また、特許文献２の技術では、複写禁止原稿を検知した場合、所望の用紙とは色調の異なる用紙に原稿の画像をプリントする機能や、画像出力部での原稿の画像の出力を実行しない機能を有する。
【０００４】
一方、情報セキュリティの観点から、暗号化読取モードを有する画像処理装置が開発されている。暗号化読取モードでは、原稿の画像データを暗号化し、ハードディスク（ＨＤＤ）に保持する原稿の画像データを暗号化している。このような画像処理装置への上記偽造防止技術の適用では、複写禁止原稿検知のための専用の復号化部を設けている。
【０００５】
【特許文献１】特開平７−１４０８６０号公報（要約）
【特許文献２】特開平７−１５２２９１号公報（要約）
【発明の開示】
【発明が解決しようとする課題】
【０００６】
本発明は、原稿が複写禁止原稿であるときに、原稿の画像の正常出力禁止を簡単な構成で実行することができるとともに、これにより装置の低価格化を実現することができ、かつ原稿の画像出力を効率的に行うことができる画像処理装置およびプログラムを提供することを目的としている。
【課題を解決するための手段】
【０００７】
本発明の請求項１に係る画像処理装置は、原稿の画像を読み取り原稿の画像データを生成する画像読取手段と、画像読取手段により生成された画像データを暗号化する暗号化手段と、画像データが複写禁止原稿の画像データであるか否かを判定する複写禁止原稿検知手段と、暗号化手段により暗号化された画像データを復号化して画像データを出力する復号化手段と、復号化手段から入力された画像データを出力する画像出力手段と、暗号化手段による暗号化の実行状態／不実行状態を切り替える暗号化手段用切替手段と、復号化手段による復号化の実行状態／不実行状態を切り替える復号化手段用切替手段とを備え、暗号化手段が暗号化手段用切替手段により暗号化の実行状態に設定されている状態では、複写禁止原稿検知手段によって画像データが複写禁止原稿の画像データであると判定された場合、復号化手段は復号化手段用切替手段により復号化の不実行状態に設定され、暗号化手段が暗号化手段用切替手段により暗号化の不実行状態に設定されている状態では、複写禁止原稿検知手段によって画像データが複写禁止原稿の画像データであると判定された場合、復号化手段は復号化手段用切替手段により復号化の実行状態に設定されることを特徴としている。
【０００８】
本発明の請求項２に係る画像処理装置は、暗号化手段により暗号化された画像データを復号化し画像データを出力する他の復号化手段と、他の復号化手段による復号化の実行状態／不実行状態を切り替える他の復号化手段用切替手段と、暗号化手段により暗号化された画像データを保持する記憶手段と、原稿の画像を表示する表示手段と、他の復号化手段を通じて暗号化手段から入力された画像データを他の復号化手段を通じて複写禁止原稿検知手段へ出力する複写禁止原稿検知手段用モードと、記憶手段から入力された画像データを他の復号化手段を通じて表示手段に出力する記憶手段用モードとを切り替える入出力先切替手段とを備え、他の復号化手段用切替手段によって他の復号化手段による復号化の実行状態に設定されている場合、入出力先切替手段により設定された複写禁止原稿検知手段用モード時には、他の復号化手段は、暗号化手段により暗号化された画像データを復号化して複写禁止原稿検知手段に画像データを出力し、入出力先切替手段により設定された記憶手段用モード時には、他の復号化手段は、記憶手段の暗号化された画像データを復号化して、表示手段に画像データを出力することを特徴としている。
【０００９】
本発明の請求項３に係るプログラムは、暗号化読取モードと通常読取モードとを有する画像処理装置に適用され、原稿の画像を読み取り原稿の画像データを生成し、暗号化読取モード時には画像データを暗号化し、通常読取モード時には画像データを暗号化せず、原稿が複写禁止原稿であるか否かを判定し、原稿が複写禁止原稿であると判定された場合、暗号化読取モード時には、暗号化された画像データを復号化せずに画像出力を実行し、通常読取モード時には、暗号化されていない画像データを復号化して画像出力を実行することを特徴としている。
【発明の効果】
【００１０】
本発明の請求項１に係る画像処理装置によれば、原稿の画像の正常出力禁止を簡単な構成で実行することができるとともに、これにより装置の低価格化を実現することができ、かつ原稿の画像出力を効率的に行うことができる。本発明の請求項２に係る画像処理装置によれば、簡単な構成で複写禁止原稿の読み取りを実行した証拠を確認することができる。本発明の請求項３に係る画像処理装置によれば、原稿の画像の正常出力禁止を簡単な構成で実行することができるとともに、これにより装置の低価格化を実現することができ、かつ原稿の画像出力を効率的に行うことができる。
【発明を実施するための最良の形態】
【００１１】
（１）実施形態の構成
以下、本発明の一実施形態について図面を参照して説明する。図１は、本発明の一実施形態に係る画像処理装置１００の概略構成を表すブロック図である。画像処理装置１００は、たとえば通常読取モードと暗号化読取モードとを有するデジタル式のカラー複写機である。画像処理装置１００は、たとえば画像読取部１０１（画像読取手段）、暗号化部１０２（暗号化手段）、第１復号化部１０３（他の復号化手段）、複写禁止原稿検知部１０４（複写禁止原稿検知手段）、画像処理部１０５、ハードディスク１０６（記憶手段）、画像出力部１０７（画像出力手段）、第２復号化部１０８（復号化手段）、ユーザインターフェース１０９（表示手段）、および、制御部（図示略）を備えている。
【００１２】
画像読取部１０１は、たとえば原稿の画像を光学的に読み取り、ＲＧＢの画像データを生成するスキャナである。暗号化部１０２は、たとえば画像読取部１０１内部に設けられ、暗号化部１０２のオン状態／オフ状態を切り替えるためのスイッチ回路（暗号化手段用切替手段）を有している。画像読取部１０１では、暗号化読取モード時には暗号化部１０２がオン状態に設定され、画像読取部１０１で生成された画像データが暗号化部１０２で暗号化され、その暗号化画像データが第１復号化部１０３および画像処理部１０５へ出力される。一方、通常読取モード時には暗号化部１０２がオフ状態に設定され、画像読取部１０１で生成された画像データが暗号化されずにそのまま第１復号化部１０３および画像処理部１０５へ出力される。
【００１３】
第１復号化部１０３は、たとえばそのオン状態／オフ状態を切り替えるためのスイッチ回路（他の復号化手段用切替手段）を備えている。また第１復号化部１０３は、複写禁止原稿検知部用モードとハードディスク用モードとを切り替える入出力先切替スイッチ（入出力先切替手段）を有する。この場合、第１復号化部１０３が複写禁止原稿検知部用モードに切り替えられたとき、暗号化部１０２から出力された画像データが第１復号化部１０３を通じて複写禁止原稿検知部１０４へ入力される。一方、第１復号化部１０３がハードディスク１０６用モードに切り替えられたとき、ハードディスク１０６から出力された画像データが第１復号化部１０３，画像処理部１０５を通じてユーザインターフェース１０９へ入力される。
【００１４】
第１復号化部１０３は、複写禁止原稿検知部用モードに設定されている場合、暗号化読取モード時にはオン状態に設定され、画像読取部１０１から入力された暗号化画像データを復号化することにより原稿の画像データに復元して複写禁止原稿検知部１０４へ出力する。通常読取モード時にはオフ状態に設定され、画像読取部１０１から入力された原稿の画像データを複写禁止原稿検知部１０４へ出力する。一方、第１復号化部１０３は、ハードディスク用モードに設定されている場合、暗号化読取モード時にはオン状態に設定され、ハードディスク１０６から入力された暗号化画像データを復号化することにより原稿の画像データに復元して、画像処理部１０５を通じてユーザインターフェース１０９へ出力する。通常読取モード時にはオフ状態に設定され、ハードディスク１０６から入力された原稿の暗号化されていない画像データを復号化せずにそのまま、画像処理部１０５を通じてユーザインターフェース１０９へ出力する。
【００１５】
複写禁止原稿検知部１０４は、パターンマッチングにより、第１復号部１０３から入力された原稿の画像データが複写禁止原稿の画像データであるか否かを判別する。具体的には、第１復号部１０３から入力された原稿の画像データと複写禁止原稿の画像データとの一致部分が所定割合以上のときには、原稿は複写禁止原稿であると判別し、所定割合未満のときには、原稿は複写禁止原稿ではないと判別する。複写禁止原稿としては、たとえば紙幣および有価証券が使用され、それら画像データは、たとえば複写禁止原稿検知部１０４内部の不揮発性メモリに予め保持されている。
【００１６】
画像処理部１０５は、たとえば画像読取部１０１の暗号化部１０２から入力された画像データを保存用データ形式に適宜変換してハードディスク１０６へ出力するとともに、画像読取部１０１の暗号化部１０２から入力された画像データをプリント用のＣＭＹＫの画像データへ変換して画像出力部１０７へ出力する。ハードディスク１０６は、画像処理部１０５から入力された保存用データ形式の画像データを保持する。
【００１７】
画像出力部１０７は、画像処理部１０５から入力されたＣＭＹＫの画像データを用紙にプリントするプリントエンジンである。用紙は、図示しない用紙カセットからプリント機構を通じて供給される。第２復号化部１０８は、画像出力部１０７の内部に設けられ、第２復号化部１０８のオン状態／オフ状態を切り替えるためのスイッチ回路（復号化手段用切替手段）を備えている。
【００１８】
画像出力部１０７では、第２復号化部１０８のオン状態の設定時には、画像処理部１０５から入力されたプリント用の画像データを第２復号化部１０８で復号化して、プリント用の復号化された画像データに対応する画像を用紙に出力する。具体的には、画像出力部１０７に入力されたプリント用の画像データがプリント用の暗号化された画像データである場合、プリント用の暗号化された画像データは復号化され、プリント用の画像データに復元されるので、用紙には原稿の画像がプリントされる。一方、画像出力部１０７に入力されたプリント用の画像データがプリント用の暗号化されていない画像データである場合、プリント用の暗号化されていない画像データが復号化されるので、用紙には意味をなさない画像がプリントされる。
【００１９】
一方、第２復号化部１０８のオフ状態の設定時には、画像処理部１０５から入力されたプリント用の画像データに対応する画像を用紙にプリントする。具体的には、画像出力部１０７に入力されたプリント用の画像データがプリント用の暗号化された画像データである場合、プリント用の暗号化された画像データは復号化されないので、用紙には意味のなさない画像がプリントされる。一方、画像出力部１０７に入力されたプリント用の画像データがプリント用の暗号化されていない画像データである場合、プリント用の暗号化されていない画像データは復号化されないので、用紙には原稿の画像がプリントされる。
【００２０】
ユーザインターフェース１０９は、たとえば装置１００に機能選択および各種操作を行うための操作ボタンおよび操作パネルと、装置１００の動作状態の各種情報や画像データを表示するための表示画面とから構成されている。この場合、ユーザインターフェース１０９は、たとえば複写処理開始のための操作ボタンとして複写開始ボタンを有する。また、ユーザインターフェース１０９の操作パネルでは、たとえば通常読取モード／暗号化読取モードの切り替えおよび暗号化パスワードの入力を行うことができる。制御部は、画像処理装置１０１の動作を統括し、ユーザインターフェース１０９を通じて選択された機能に応じて各種処理を実行する。
【００２１】
（２）実施形態の動作
次に、おもに図２を参照して、上記のような構成を有する画像処理装置１００の動作について説明する。図２は、画像処理装置１００における複写処理の手順を表すフローチャートである。ここでは、まず画像処理装置１００の暗号化読取モード時の複写処理について説明し、次に画像処理装置１００の通常読取モード時の複写処理について説明する。
【００２２】
（２−１）暗号化読取モード時の複写処理
ユーザは、ユーザインターフェース１０９を用いて暗号化読取モードの選択および暗号化パスワードの入力を行い、画像読取部１０１に原稿をセットし、複写開始ボタンを押下する。複写開始ボタンが押下されると、暗号化読取モードであるか否かを判定する（ステップＳ１０１）。
【００２３】
装置１００は暗号化読取モードに設定されているので、ステップＳ１０１で暗号化読取モードであると判定された後、暗号化部１０２をオン状態、第１復号化部１０３をオン状態、第１復号化部１０３の複写禁止原稿検知部１０４用モードをオン状態、第１復号化部１０３のハードディスク１０６用モードをオフ状態、第２復号化部１０８をオン状態に設定する（ステップＳ１０２）。続いて、画像読取部１０１は、原稿の画像の読み取りを実行し、原稿の画像データを生成する（ステップＳ１０３）。この場合、暗号化読取モードであるから、暗号化部１０２は、原稿の画像データを暗号化し、その暗号化画像データを第１復号化部１０３および画像処理部１０５に出力する。
【００２４】
次いで、第１復号化部１０３は、暗号化画像データを復号化することにより原稿の画像データに復元し、その原稿の画像データを複写禁止原稿検知部１０４に出力する。複写禁止原稿検知部１０４は、パターンマッチングにより、原稿の画像データが複写禁止原稿の画像データであるか否かを判定する（ステップＳ１０４）。
【００２５】
原稿が複写禁止原稿である場合、複写禁止原稿検知部１０４はステップＳ１０４で原稿の画像データが複写禁止原稿の画像データであると判定した後、画像出力部１０７へ復号化オン／オフ切替信号を送信することにより、ステップＳ１０２でオン状態に設定された第２復号化部１０８は、オフ状態に切り替えられる（ステップＳ１０５）。次に、画像出力部１０７は、画像処理部１０５でプリント用に処理された暗号化画像データを第２復号化部１０８で復号化せずに、意味のなさない画像を用紙にプリントする（ステップＳ１０６）。このように原稿が複写禁止原稿である場合には、原稿の画像の正常出力がなされない。
【００２６】
一方、原稿が複写禁止原稿でない場合、複写禁止原稿検知部１０４は、ステップＳ１０４で原稿の画像データが複写禁止原稿の画像データでないと判定した後、ステップＳ１０２で第２復号化部１０８がオン状態に設定された画像出力部１０７は、画像処理部１０５で処理されたプリント用の暗号化画像データを第２復号化部１０８で復号化することによりプリント用の原稿の画像データに復元して、原稿の画像を用紙にプリントする（ステップＳ１０６）。このように原稿が複写禁止原稿でない場合には、原稿の画像の正常出力がなされる。
【００２７】
（２−２）通常読取モード時の複写処理
ユーザは、ユーザインターフェース１０９を用いて通常読取モードを選択し、画像読取部１０１に原稿をセットし、複写開始ボタンを押下する。複写開始ボタンが押下されると、暗号化読取モードであるか否かを判定する（ステップＳ１０１）。
【００２８】
装置１００は通常読取モードに設定されているので、ステップＳ１０１で暗号化読取モードでないと判定された後、暗号化部１０２をオフ状態、第１復号化部１０３をオフ状態（すなわち、第１復号化部１０３の複写禁止原稿検知部用モードをオフ状態，第１復号化部１０３のハードディスク用モードをオフ状態）、第２復号化部１０８をオフ状態に設定する（ステップＳ１０７）。続いて、画像読取部１０１は、原稿の画像の読み取りを実行し、原稿の画像データを生成する（ステップＳ１０８）。この場合、通常読取モードであるから、画像読取部１０１は、原稿の画像データを暗号化せずにそのまま、第１復号化部１０３および画像処理部１０５に出力する。
【００２９】
次いで、第１復号化部１０３は、原稿の画像データを復号化せずに複写禁止原稿検知部１０４に出力する。複写禁止原稿検知部１０４は、パターンマッチングにより、原稿の画像データが複写禁止原稿の画像データであるか否かを判定する（ステップＳ１０９）。
【００３０】
原稿が複写禁止原稿である場合、複写禁止原稿検知部１０４は、原稿の画像データが複写禁止原稿の画像データであると判定した後、画像出力部１０７へ復号化オン／オフ切替信号を送信することにより、ステップＳ１０７オフ状態に設定された第２復号化部１０８は、オン状態に切り替えられる（ステップＳ１１０）。次に、画像出力部１０７は、画像処理部１０５で処理されたプリント用の暗号化されていない原稿の画像データを第２復号化部１０８で復号化して、意味のなさない画像を用紙にプリントする（ステップＳ１１１）。このように原稿が複写禁止原稿である場合には、原稿の画像の正常出力がなされない。
【００３１】
一方、原稿が複写禁止原稿でない場合、複写禁止原稿検知部１０４は、ステップＳ１０９原稿の画像データが複写禁止原稿の画像データでないと判定した後、ステップＳ１０７オフ状態に設定された画像出力部１０７は、画像処理部１０５で処理されたプリント用の暗号化されていない原稿画像データを第２復号化部１０８で復号化せず、原稿の画像を用紙にプリントする（ステップＳ１１１）。このように原稿が複写禁止原稿でない場合には、原稿の画像の正常出力がなされる。
【００３２】
以上のように上記実施形態では、複写禁止原稿の画像の正常出力禁止のために特別な機構が不要である。原稿が複写禁止原稿であると判定された場合、プリント機構による用紙の出力を途中で中止したり、ステップＳ１０４，Ｓ１０９の複写禁止原稿の判定の終了までプリント機構による用紙の供給開始を待機する必要がない。
【００３３】
（３）変形例
上記実施形態を挙げて本発明を説明したが、本発明は上記実施形態に限定されるものではなく、種々の変形が可能である。たとえば、画像読取部１０１で読み取った原稿が複写禁止原稿である場合、その証拠として原稿の画像データをハードディスク１０６に保持しておくことができる。この場合、ユーザインターフェース１０９では、たとえば操作パネルを用いて複写禁止原稿表示を選択することにより、複写禁止原稿を読み取った証拠をユーザインターフェース１０９の表示画面に表示することができる。
【００３４】
たとえば、暗号化読取モード時には、画像読取部１０１は、読み取った原稿が複写禁止原稿である場合、暗号化部１０２で原稿の画像を暗号化して画像処理部１０５へ出力し、ハードディスク１０６は、画像処理部１０５で保存用データ形式に適宜変換された暗号化画像データを保持する。この場合、操作パネルを用いて複写禁止原稿表示を選択すると、オフ状態に設定された第１復号化部１０３は、オン状態に切り替えられ、ハードディスク１０６に保持されている暗号化画像データを復号化して原稿の画像データに復元し、その原稿の画像データを画像処理部１０５に出力する。次いで、画像処理部１０５による原稿の画像データへの所定処理の実行後、ユーザインターフェース１０９の表示画面は原稿の画像データを表示する。
【００３５】
一方、通常読取モード時には、画像読取部１０１は、読み取った原稿が複写禁止原稿である場合、暗号化部１０２で原稿の画像を暗号化せずにそのまま画像処理部１０５へ出力し、ハードディスク１０６は、画像処理部１０５で保存用データ形式に適宜変換された原稿の画像データを保持する。この場合、操作パネルを用いて複写禁止原稿表示を選択すると、オフ状態に設定された第１復号化部１０３は、ハードディスク１０６に保持されている原稿の画像データを復号化せずにそのまま画像処理部１０５に出力する。次いで、画像処理部１０５による原稿の画像データへの所定処理の実行後、ユーザインターフェース１０９の表示画面は原稿の画像を表示する。
【００３６】
以上のように、画像読取部１０１で読み取った複写禁止原稿の画像をユーザインターフェース１０９の表示画面に表示することにより、複写禁止原稿を読み取った証拠を確認する。この態様では、複写禁止原稿検知部１０４とハードディスク１０６は、第１復号化部１０３を互いに排他的に使用するので、複写禁止原稿検知部１０４のための専用の復号化部が必要ない。なお、上記態様では、複写禁止原稿の画像をユーザインターフェース１０９の表示画面に表示したが、その代わりに、ハードディスク１０６に保持されている原稿の画像データを解析することにより複写禁止原稿を読み取った証拠を確認してもよい。
【００３７】
さらに、上記実施形態では、制御部を介さずに正常出力禁止のための処理を実行したが、その代わりに、制御部を介して正常出力禁止のための処理を実行してもよい。加えて、上記実施形態では、複写禁止原稿検知部１０３への画像データ出力は第１復号化部１０３を通じて行ったが、その代わりに、たとえば画像読取部１０１に複写禁止原稿検知部１０３を設け、画像読取部１０１で生成された画像データを複写禁止原稿検知部１０３に直接入力してもよい。
【産業上の利用可能性】
【００３８】
本発明は、暗号化読取モードを有する画像処理装置（たとえば複写機や、プリンタ、ＦＡＸ、および、それらの機能を有する複合機）に利用することができる。
【図面の簡単な説明】
【００３９】
【図１】本発明の一実施形態に係る画像処理装置の概略構成を表すブロック図である。
【図２】本発明の一実施形態に係る画像処理装置による複写処理の手順を表すフローチャートである。
【符号の説明】
【００４０】
１００…画像処理装置、１０１…画像読取部（画像読取手段）、１０２…暗号化部（暗号化手段）、１０３…第１復号化部（他の復号化手段）、１０４…複写禁止原稿検知部（複写禁止原稿検知手段）、１０６…ハードディスク（記憶手段）、１０７…画像出力部（画像出力手段）、１０８…第２復号化部（復号化手段）、１０９…ユーザインターフェース（表示手段）
【図１】
2008118422.tif 000003
【図２】
2008118422.tif 000004